(57)【特許請求の範囲】
【請求項１】
ランプソケット（１０）であって、電気接点、セラミック又は磁器からなりかつランプ口金を収容するために使われるソケットブロック（１１）、導体接続側において導体挿入開口（１７）を除いてソケットブロック（１１）を閉じるカバー（１２）、及びランプ口金に作用する１つのＵ形保持ばね（１６）を含み、この保持ばねが、一方においてかかり状の係止片（２４）によってソケットブロック（１１）内に係止されており、かつ他方においてソケットブロック（１１）にカバー（１２）を保持するものにおいて、カバー（１２）が、接点の少なくとも一部のための収容室（１８）を有し、かつ保持ばね（１６）の脚（１５）を通すため及び保持ばね（１６）の橋絡片（２５）収容するために、中央の底部側の開口（２０）を備え、橋絡片（２５）が、その両端部に、外方に向けられた片（２６）を備え、これらの片が、カバー（１２）をその下側で支持することを特徴とする、ランプソケット。
【請求項２】
カバー（１２）の底部に、片（２６）を突起なく同一面に収容するための沈下部が配置されていることを特徴とする、請求項１に記載のソケット。
【請求項３】
片（２６）が、橋絡片（２５）に隣接する保持ばね（１６）の脚（１５）の区間から切り抜かれ、かつ大体において橋絡片（２５）の平面内に曲げられていることを特徴とする、請求項１又は２に記載のソケット。
【請求項４】
片（２６）が弾性的に形成され、又は配置されており、かつ保持ばね（１６）の脚（１５）に張力を及ぼし、この張力が、ソケットブロック（１１）の接触面（２７）に向かってかかり状の係止片（２４）に負荷をかけることを特徴とする、請求項１ないし３の１つに記載のソケット。
【請求項５】
ソケットブロック（１１）及びカバー（１２）が、相補的な形状の接合面（２１，２２）を形成しており、これらの接合面が、これらのソケットブロック及びカバーを、互いに接触した際に互いに回ることができないように保持することを特徴とする、請求項１ないし４の１つに記載のソケット。
【請求項６】
カバー（１２）が、高温に耐える熱可塑性合成物質からなる射出成形された成形部材であることを特徴とする、請求項１ないし５の１つに記載のソケット。
【請求項７】
カバー（１２）が、ＰＰＳ又はＬＣＰ合成物質からなることを特徴とする、請求項６に記載のソケット。
【発明の詳細な説明】
【０００１】
【発明の属する技術分野】
本発明は、電気接点、セラミック又は磁器からなりかつランプ口金を収容するために使われるソケットブロック、導体接続側において導体挿入開口を除いてソケットブロックを閉じるカバー、及びランプ口金に作用する１つのＵ形保持ばねを含み、この保持ばねが、一方においてかかり状の係止片によってソケットブロック内に係止されており、かつ他方においてソケットブロックにカバーを保持する、ランプソケット、とくにハロゲン高ボルトランプ用のソケットに関する。
【０００２】
【従来の技術】
本発明は、刊行物によって出典を挙げられない公然と先使用された口金Ｇ１２を有するハロゲン金属蒸気ランプのためのランプソケットから出発している。この周知のソケットは、ほぼ３６ｍｍの直径を有するセラミックからなるソケットブロックからなる。ソケットブロックの底部又は接続側は、中空部を有し、この中空部内に電気接点が配置されており、これらの接点に、一方において導体が固定的に接続されており、かつ他方においてランプの接点が差込み接続される。底部側の開口は、同様にセラミックからなる簡単な板状のカバーによって閉じられ、このカバーは、ゆるく挿入され、かつＵ形の保持ばねによってソケットブロックに保持される。そのためにＵ形の保持ばねの中央橋絡片が、カバー板を外側において下からつかんでいるが、一方両方のＵ脚は、カバー板を縁において回りからつかみ、かつソケットブロックのスリット内に差込まれている。保持ばねの脚の外側において、かかり状の片が外側に曲げられており、これらの片は、差込まれた状態において、ソケットブロック内における相応する接触肩部に支持されている。このようにしてカバーは、ソケットの最終組立状態において、保持ばねによってソケットブロックに保持されており、かつこのソケットブロックの底部側の開口は閉じられている。
【０００３】
その他の点において保持ばねは、ソケットのランプ側において、ランプソケットに作用し、かつそれによりランプのソケットからの脱落を防止するという役割を有し、このことは、とくにランプのつるした利用位置において重要である。電気的及び機械的に確実な接触を行なうため、高い温度の作用を受けても精密なかつ確実なソケットにおける接点の保持が重要である。セラミック又は磁器からなるソケットブロックは、熱的要求にもっとも良好に十分である。接点室の寸法安定性は、したがって接点の精密な位置も問題なことがある。なぜならセラミック又は磁器構成部分における中空空間、切り欠き等は、十分に狭い公差によって製造することができないからである。それにより機能の弱体化の他に、自動組立の際のかなりの困難も生じる。
【０００４】
【発明が解決しようとする課題】
ここにおいて本発明が使用される。とくに本発明の課題は、特許請求の範囲第１項の上位概念において周知と仮定したようなソケットを機能的に、かつ自動製造に関して改善することにある。
【０００５】
【課題を解決するための手段】
課題を解決する特徴は、特許請求の範囲第１項に記載されている。それに相応して本発明は、次のような特徴を有する。すなわちカバーが、接点の少なくとも一部のための収容室を有し、かつ保持ばねの脚を通すため及び保持ばねの橋絡片収容するために、中央の底部側の開口を備え、橋絡片が、その両端部に、外方に向けられた片を備え、これらの片が、カバーをその下側で支持する。
【０００６】
したがって本発明の重要な思想は、接点をすでにカバーの収容室内に自動的に少なくとも予備固定することができるということに基づいており、それにより最終組立がかなり容易になる。なぜならば、今やソケットブロックとカバーは、カバーの中央の底部側開口に通される１つの保持ばねによって互いにまとめて保持されるからである。保持ばねの橋絡片は、カバーの開口を閉鎖することができる。本発明の別の特徴にしたがって、片が弾性的に形成され、又は配置されており、かつ保持ばねの脚に張力を及ぼし、この張力が、ソケットブロックの接触面に向かってかかり状の係止片に負荷をかける場合、このことは、再びかなり助長される。この構成は、実際にきわめて簡単な差込み組立に通じ、この差込み組立は、きわめて確実でありかつ信頼することができる。組立の際、弾性的に形成された片は、あらゆる構成部分の寸法公差を、とくにセラミック部分の大きな公差を補償する。
【０００７】
本発明によるソケットの別の構成に関して、ソケットブロック及びカバーが、相補的な形状の接合面を形成しており、これらの接合面が、これらのソケットブロック及びカバーを、互いに接触した際に互いに回ることができないように保持することが考慮されている。このように互いに接触するソケット部分の固定は、この時、保持ばねによって行なわれる。
【０００８】
カバーの底部に、片を突起なく同一面に収容するための沈下部が配置されていることができ、これらの片は、さらに橋絡片に隣接する保持ばねの脚の区間から切り抜かれ、かつ大体において橋絡片の平面内に曲げられている。
【０００９】
なるべくカバーは、例えばＰＰＳ又はＬＣＰのような高温に耐える熱可塑性合成物質からなる射出成形された成形部材である。
【００１０】
その他の点において、本発明は、図面に示した実施例の次の説明によってもっとも良好に理解される。
【００１１】
【発明の実施の形態】
図面において一緒にして、とくにハロゲン高ボルトランプ、とりわけ口金Ｇ９を有するようなもののためのランプソケットは、全体に１０によって示されている。ソケット１０は２部分からなり；このソケットは、ソケットブロック１１及び導体接続側のカバー１２からなる。ソケットブロック１１は、熱に耐える材料から、とくにセラミック又は磁器から製造されている。それに対してカバー１２は、高温に耐えるだけでなくその上さらにきわめて寸法安定な材料からなる。有利な材料として、ここではとくにＰＰＳ（ポリフェニル−硫化物）及びＬＣＰ（液晶ポリマー）のような熱可塑性合成物質が考慮される。
【００１２】
ソケットブロック１１は、図示しない高ボルトランプの口金を収容するための差込み開口１３を有する。１４によって、後になお説明すべき保持ばね１６（図４）の脚１５を収容するための側方溝が示されている。
【００１３】
カバー１２は、とくに図３が示すように、成形部材である。この成形部材は、射出成形技術によって合成物質から製造されており、かつ導体差込み開口１７以外に、図示しない接点を適正位置に固定するための収容室１８を有し、これらの接点は、絶縁除去された導体端部をランプ接点ピン（同様に図示されていない）に結合する。さらに底部１９は、中央の通口２０を有する。
【００１４】
その他に図２及び３から明らかなように、ソケットブロック１１は、カバー１２の方に向いたその端面に、２１によって示された接合面を有し、これらの接合面に、相補的な接合面２２が対向しており、これらの接合面は、ソケットブロック１１の方に向いたカバー１２の端面に形成されている。これらの接合面２１及び２２は、ソケットブロック１１及びカバー１２を相互の軸線方向に接触した際に互いに回らないように保持するために使われる。
【００１５】
図４に示された保持ばね１６は、まずその自由端の近くにおいて互いに向き合いかつランプの口金に作用する端子領域２３によって、ランプがソケットから脱落することを防止するという目的を有する。
【００１６】
さらに保持ばね１６に、ソケットブロック１１とカバー１２をまとめるという役割が加わる。そのために保持ばね１６の両方の脚１５は、切り抜かれかつ外方に曲げられたかかり状の係止片２４、及び保持ばね１６の中央橋絡片２５の範囲に外方に突出した片２６を有する。
【００１７】
保持ばね１６をその規定にしたがった位置に運ぶために、その両方の脚１５は、カバー１２の下側又は導体接続側からその中央開口２０を通して、中央開口２０を側方に越えて突出した片２６がカバー１２の底部１９の下に接触するまで差込まれる。この位置においてかかり状の係止片２４は、ソケットブロック１１の内部においてそれぞれ２７によって示された肩部に支持されている。この時、保持ばね１６は、ソケット１０内において紛失することがないように保持されており、かつ同時に両方のソケット部分−すなわちソケットブロック１１及びカバー１２−をまとめている。
【００１８】
とくに図５及び６から明らかなように、片２６のここに示された傾斜位置に基づいて、これらの片は、保持ばね１６をカバー１２から下方に引出そうとすることによって、ばね作用を及ぼす。しかしながらこのことは、係止フック２４による係止保持のために不可能なので、片２６の弾性初応力の効果は、所定の張力を受けて装置全体を公差を補償して遊びなく保持することにある。
【００１９】
とくに図４ないし６が示すように、片２６は、保持ばね１６全体が製造された板帯から切り抜かれており、かつ外側に曲げられている。片２６は、ほぼ中央橋絡片２５が曲げを介して保持ばね１６の大体において互いに平行な側方脚１５に移行するところにおいて、その作用結合部又は根もとを有する。
【００２０】
カバー１２の底部１９に、片２６を収容する沈下部２８が配置されており、これらの沈下部は、カバー１２の底部におけるこれらの片の同一面の統合を可能にするので、橋絡片２５及び片２６は、底部の外面２９を越えて突出しない。
【図面の簡単な説明】
【図１】ソケットブロック及びカバーから２部分に構成されたランプソケットの斜視図である。
【図２】ソケットブロックだけの斜視図である。
【図３】カバーだけの斜視図である。
【図４】保持ばねの斜視図である。
【図５】図１によるソケットの長手断面図である。
【図６】図５による長手段面の斜視図である。
【符号の説明】
１０  ソケット
１１  ソケットブロック
１２  カバー
１５  脚
１６  保持ばね
１７  導体挿入開口
１８  収容室
２０  開口
２１  接合面
２２  接合面
２４  係止片
２５  橋絡片
２６  片
２７  接触面
【図１】
0003978664.tif 000002
【図２】
0003978664.tif 000003
【図３】
0003978664.tif 000004
【図４】
0003978664.tif 000005
【図５】
0003978664.tif 000006
【図６】
0003978664.tif 000007